(57)【特許請求の範囲】
【請求項１】
互いに対向する一対の側枠部と、前記一対の側枠部を連結する連結部と、を有し、前記一対の側枠部の対向間隔がマガジン一個分と対応し、前記マガジンを収容可能なセルと、
隣り合う前記セルを連結する連結部材とを有し、
前記セルは、少なくとも横方向に任意数連結可能に構成されており、
前記マガジンは、上方に向けて開口する半筐体状に形成され、商品を縦置きで前後に列をなすように複数個搭載可能であり、かつ下方に向けて突出し、前後方向に延在するブレードが底部の左右両端部にそれぞれ形成されたものであり、
前記マガジンは、前記側枠部または、前記一対の側枠部の上端部を連結する天枠部と、前記天枠部の下方に前記天枠部と対向して配置され、前記一対の側枠部の下端部を連結する底枠部のいずれかに支持され、
前記商品がたばこであることを特徴とする商品陳列棚。
【請求項２】
前記セルは、当該セルの外形形状を画定する複数の骨組枠材を組み合わせることにより構成され、
前記連結部材は、隣り合う前記セルの前記骨組枠材の一部分ずつを保持する複数の保持部を有し、前記複数の保持部によりこれらセルの前記骨組枠材の一部分ずつを保持することによって、これらセルを連結することを特徴とする請求項１に記載の商品陳列棚。
【請求項３】
前記連結部材には、横方向に隣り合う前記セルの前記骨組枠材の一部分ずつを前記複数の保持部により保持し、これらセルを連結する第１連結部材が含まれることを特徴とする請求項２に記載の商品陳列棚。
【請求項４】
前記連結部材には、上下方向に隣り合う前記セルの前記骨組枠材の一部分ずつを前記複数の保持部により保持し、これらセルを連結する第２連結部材が含まれることを特徴とする請求項２又は３に記載の商品陳列棚。
【請求項５】
前記連結部材には、横方向に隣り合う２つの前記セルと、これら２つの前記セルと上下方向に隣り合う２つの前記セルと、の合計４つの前記セルの前記骨組枠材の一部分ずつを前記複数の保持部により保持し、これら４つのセルを連結する第３連結部材が含まれることを特徴とする請求項２乃至４の何れか一項に記載の商品陳列棚。
【請求項６】
前記保持部は、前記骨組枠材の一部分が嵌め込まれる連結凹部であることを特徴とする請求項２乃至５の何れか一項に記載の商品陳列棚。
【請求項７】
前記連結部材は、
前記連結凹部が形成された本体部と、
前記連結凹部からの前記骨組枠材の一部分の脱落を規制する脱落規制部と、
を有することを特徴とする請求項６に記載の商品陳列棚。
【請求項８】
前記連結部材は、前記連結凹部内に前記骨組枠材の一部分が嵌め込まれた状態で前記脱落規制部を前記本体部に対してロックするロック部を有することを特徴とする請求項７に記載の商品陳列棚。
【請求項９】
前記骨組枠材には、
前記セルの一方の前記側枠部の最外周枠を構成する第１枠材と、
前記セルの他方の前記側枠部の最外周枠を構成する第２枠材と、
横方向に延在して前記第１枠材と第２枠材とを連結し、前記連結部を構成する複数本の第３枠材と、
が含まれることを特徴とする請求項２乃至８の何れか一項に記載の商品陳列棚。
【請求項１０】
一部の前記第３枠材は前記セルの上端部において横方向に延在し、
他の一部の前記第３枠材は前記セルの下端部において横方向に延在していることを特徴とする請求項９に記載の商品陳列棚。
【請求項１１】
前記第１枠材又は前記第２枠材に取付可能な側板を更に有することを特徴とする請求項９又は１０に記載の商品陳列棚。
【請求項１２】
前記連結部は、
前記一対の側枠部の上端部を連結する天枠部と、
前記天枠部の下方に前記天枠部と対向して配置され、前記一対の側枠部の下端部を連結し、前記マガジンを支持可能な底枠部と、
を含み、
前記側枠部は、横隣の前記セルの前記側枠部に連結される横連結部を有していることを特徴とする請求項１に記載の商品陳列棚。
【請求項１３】
前記横連結部は、横隣の前記セルの前記側枠部に係止される係止部であることを特徴とする請求項１２に記載の商品陳列棚。
【請求項１４】
前記係止部は、下向きの係止爪を有していることを特徴とする請求項１３に記載の商品陳列棚。
【請求項１５】
前記側枠部、前記天枠部及び前記底枠部は、それぞれ板状であることを特徴とする請求項１２乃至１４の何れか一項に記載の商品陳列棚。
【請求項１６】
前記天枠部と前記底枠部との間には、前記一対の側枠部間に架設され、それぞれ前記マガジンを支持可能な中間棚部が設けられていることを特徴とする請求項１２乃至１５の何れか一項に記載の商品陳列棚。
【発明の詳細な説明】
【技術分野】
【０００１】
本発明は、マガジンを搭載可能な商品陳列棚に関し、特に、横幅を変更可能な商品陳列棚に関する。
【背景技術】
【０００２】
コンビニエンスストアなどの店舗では、様々な商品がいわゆる什器（商品陳列棚）に陳列されている。
【０００３】
多様な商品のうち、例えばたばこ商品などの特定の商品を陳列するための什器は、電子キャッシュレジスタなどの販売処理装置が載置されたレジカウンタ上又はその周辺に配置されることが一般的である。
【０００４】
なお、ここで云うたばこ商品とは、実際に喫煙される紙巻たばこではなく、複数の紙巻たばこを収容している直方体状のパッケージを意味している。
【０００５】
ところで、コンビニエンスストアなどの店舗のレジカウンタ上又はその周辺において商品を陳列可能なスペースは、店舗毎に異なり、また季節毎の商品サイクルに応じても変動する。このため、商品陳列棚には、商品の陳列スペースの大きさを必要に応じて容易に変更できることが望まれる。
【０００６】
特許文献１には、互いに対向する一対の側壁部材と、これら側壁部材を連結する連結部材と、を有する商品陳列棚（商品陳列用什器）が記載されている。この商品陳列棚においては、連結部材は棒形状を有し、軸方向に任意数を接続できるようになっている。そして、連結部材の接続数を選択することによって、一対の側壁部材の間の距離を調整し、商品陳列棚の横幅を変更することが可能となっている。
【先行技術文献】
【特許文献】
【０００７】
【特許文献１】登録実用新案３１３８２９２号公報
【発明の概要】
【発明が解決しようとする課題】
【０００８】
特許文献１の技術では、一対の側壁部材間の領域が１つの空間であるため、一対の側壁部材の間の距離を調整することで商品陳列棚の横幅を変更できても、一対の側壁部材間の領域を複数に区分けしてそれぞれ独立的に利用することが困難である。
【０００９】
本発明は、商品陳列棚の横幅を変更でき、且つ、商品陳列棚内の複数の領域をそれぞれ独立的に利用可能な商品陳列棚を提供する。
【課題を解決するための手段】
【００１０】
本発明は、互いに対向する一対の側枠部と、前記一対の側枠部を連結する連結部と、を有し、前記一対の側枠部の対向間隔がマガジン一個分と対応し、前記マガジンを収容可能なセルと、
隣り合う前記セルを連結する連結部材とを有し、
前記セルは、少なくとも横方向に任意数連結可能に構成されており、
前記マガジンは、上方に向けて開口する半筐体状に形成され、商品を縦置きで前後に列をなすように複数個搭載可能であり、かつ下方に向けて突出し、前後方向に延在するブレードが底部の左右両端部にそれぞれ形成されたものであり、
前記マガジンは、前記側枠部または、前記一対の側枠部の上端部を連結する天枠部と、前記天枠部の下方に前記天枠部と対向して配置され、前記一対の側枠部の下端部を連結する底枠部のいずれかに支持され、
前記商品がたばこであることを特徴とする商品陳列棚を提供する。
【００１１】
この商品陳列棚によれば、任意数のセルを横方向に連結できるので、商品陳列棚の横幅を変更でき、且つ、各セル内の領域をそれぞれ独立的に利用できる。
【発明の効果】
【００１２】
本発明によれば、商品陳列棚の横幅を変更でき、且つ、商品陳列棚内の複数の領域をそれぞれ独立的に利用できる。
【図面の簡単な説明】
【００１３】
【図１】第１の実施形態に係る商品陳列棚の正面図である。
【図２】第１の実施形態に係る商品陳列棚のセルを示す斜視図である。
【図３】第１の実施形態に係る商品陳列棚の連結部材を示す斜視図である。
【図４】第１の実施形態に係る商品陳列棚の連結部材を示す斜視図である。
【図５】第１の実施形態に係る商品陳列棚の連結部材を示す斜視図である。
【図６】第１の実施形態に係る商品陳列棚の台座を示す斜視図である。
【図７】第１の実施形態に係る商品陳列棚のセルの連結の仕方を説明するための正面図である。
【図８】第１の実施形態に係る商品陳列棚の斜視図である。
【図９】第１の実施形態に係る商品陳列棚の側面化粧パネルの取り付け方を説明するための斜視図である。
【図１０】第１の実施形態に係る商品陳列棚の側面図である。
【図１１】第１の実施形態に係る商品陳列棚の前面化粧パネルの斜視図である。
【図１２】第１の実施形態に係る商品陳列棚の連結部材の変形例を示す断面図である。
【図１３】第１の実施形態に係る商品陳列棚の連結部材の変形例を示す断面図である。
【図１４】第２の実施形態に係る商品陳列棚の斜視図である。
【図１５】第２の実施形態に係る商品陳列棚の正面図である。
【図１６】第２の実施形態に係る商品陳列棚のセル及び側面化粧パネルを示す分解斜視図である。
【図１７】第２の実施形態に係る商品陳列棚の中間棚部を示す斜視図である。
【図１８】第２の実施形態に係る商品陳列棚の中間棚部と側枠部との連結構造を示す正面図である。
【図１９】第２の実施形態に係る商品陳列棚のセル及び側面化粧パネルの組み立て方を説明するための分解正面図である。
【図２０】第２の実施形態に係る商品陳列棚の隣り合うセルどうしの連結構造を示す正面図である。
【図２１】第２の実施形態に係る商品陳列棚の前面化粧パネルを示す側面図及び裏面図である。
【図２２】第２の実施形態に係る商品陳列棚の前面化粧パネルの取り付け構造を示す正面図である。
【図２３】第２の実施形態に係る商品陳列棚の側面図である。
【図２４】マガジンの一例を示す側面図である。
【発明を実施するための形態】
【００１４】
以下、本発明の実施形態について、図面を用いて説明する。なお、すべての図面において、同様の構成要素には同一の符号を付し、適宜に説明を省略する。
【００１５】
〔第１の実施形態〕
図１は第１の実施形態に係る商品陳列棚１００の正面図、図２は商品陳列棚１００のセル１を示す斜視図である。図３は商品陳列棚１００の連結部材２０を示す斜視図、図４は商品陳列棚１００の連結部材３０を示す斜視図、図５は商品陳列棚１００の連結部材４０を示す斜視図である。図６は商品陳列棚１００の台座６０を示す斜視図である。図７はセル１の連結の仕方を説明するための正面図、図８は商品陳列棚１００の斜視図である。図９は商品陳列棚１００の側面化粧パネル（側板）７０の取り付け方を説明するための斜視図である。図１０は商品陳列棚１００の側面図である。図１１は商品陳列棚１００の前面化粧パネル５０の斜視図である。
【００１６】
本実施形態に係る商品陳列棚１００は、互いに対向する一対の側枠部と、一対の側枠部を連結する連結部と、を有し、一対の側枠部の対向間隔がマガジン８０の一個分と対応し、マガジン８０を収容可能なセル１を、少なくとも横方向に任意数連結可能に構成されている。なお、セル１とは、マガジン８０の配置領域を区画する構造体を意味する。以下、詳細に説明する。
【００１７】
商品陳列棚１００は、複数のセル１と、隣り合うセル１を連結する連結部材２０、３０、４０と、台座６０と、を有する。
【００１８】
図２に示すように、本実施形態の場合、セル１は、当該セル１の外形形状を画定する複数の骨組枠材を組み合わせることにより予め組み立てられた、籠状のものである。
【００１９】
セル１を構成する骨組枠材には、例えば、セル１の一方の側枠部の最外周枠を構成する第１枠材１１と、セル１の他方の側枠部の最外周枠を構成する第２枠材１２と、横方向に延在して第１枠材１１と第２枠材１２とを連結し連結部を構成する複数本の第３枠材１３と、第１枠材１１及び第２枠材１２に補強材としてそれぞれ斜めに設けられた第４枠材１４と、が含まれる。
【００２０】
第１枠材１１は、当該第１枠材１１の上部を構成し、前後方向に直線状に延在する直線部１１ａと、当該第１枠材１１の下部を構成し、前後方向に直線状に延在する直線部１１ｂと、直線部１１ａの前端部と直線部１１ｂの前端部とを連結する前側連結部１１ｃと、直線部１１ａの後端部と直線部１１ｂの後端部とを連結する後側連結部１１ｄと、を有し、全体として環状に形成されている。直線部１１ａ、直線部１１ｂ、前側連結部１１ｃ及び後側連結部１１ｄは、同一平面上に位置している。より具体的には、直線部１１ａと直線部１１ｂとは互いに平行となり、それぞれ水平に配置される。また、前側連結部１１ｃ及び後側連結部１１ｄもそれぞれ直線状に、且つ、互いに平行に延在している。なお、直線部１１ａと前側連結部１１ｃとの連結部、前側連結部１１ｃと直線部１１ｂとの連結部、直線部１１ｂと後側連結部１１ｄとの連結部、後側連結部１１ｄと直線部１１ａとの連結部は、それぞれ丸め加工（Ｒ加工）されている。このため、第１枠材１１は、側面視において、例えば、平行四辺形の角が丸められたような形状となっている。
【００２１】
第２枠材１２は、第１枠材１１と同様の形状及び寸法に形成されている。すなわち、第２枠材１２は、第１枠材１１の直線部１１ａ、１１ｂ、前側連結部１１ｃ、後側連結部１１ｄと同様の、直線部１２ａ、１２ｂ、前側連結部１２ｃ、後側連結部１２ｄ、を有している。そして、第１枠材１１を含む平面と、第２枠材１２を含む平面とは、互いに平行に対向している。
【００２２】
図２に示す例では、セル１は、第１枠材１１の上部と第２枠材１２の上部とを連結する３本の第３枠材１３と、第１枠材１１の下部と第２枠材１２の下部とを連結する４本の第３枠材１３と、の合計７本の第３枠材１３を有する。各第３枠材１３はそれぞれ水平に配置され、互いに平行となっている。
このように、一部の第３枠材１３はセル１の上端部において横方向に延在し、他の一部の第３枠材１３はセル１の下端部において横方向に延在し、それぞれセル１の上端部と下端部とを構成及び補強している。
なお、セル１の下端部において横方向に延在する第３枠材１３は、マガジン８０を支持する側枠部として機能する。
【００２３】
セル１は、例えば、直線部１１ａの前部と直線部１１ｂの前部とを斜めに連結する第４枠材１４と、直線部１１ａの後部と直線部１１ｂの後部とを斜めに連結する第４枠材１４と、直線部１２ａの前部と直線部１２ｂの前部とを斜めに連結する第４枠材１４と、直線部１２ａの後部と直線部１２ｂの後部とを斜めに連結する第４枠材１４と、の合計４本の第４枠材１４を有する。
【００２４】
なお、骨組枠材は、例えば、中空管、又は、線状材により構成されている。それら中空管、又は線状材の断面の外形形状は、例えば円形であることが好ましい。骨組枠材は、例えば、金属により構成することができる。
【００２５】
本実施形態の場合、左右一対の側枠部のうち、一方の側枠部は、第１枠材１１及びその補強材としての第４枠材１４により構成され、他方の側枠部は、第２枠材１２及びその補強材としての第４枠材１４により構成されている。
一対の側枠部の対向間隔（第３枠材１３の長さと実質的に等しい）は、一個のマガジン８０の横幅と対応する間隔に設定され、１個のセル１内には、１個のマガジン８０を収容可能（搭載可能）となっている。
なお、一対の側枠部の対向間隔は、一個のマガジン８０の横幅よりも若干広く設定され、セル１内へのマガジン８０の挿入及びセル１からのマガジン８０の取り出しをスムーズに行うことができるようになっている。ただし、セル１内には、２個以上のマガジン８０を横並びに配置することはできない。
【００２６】
図３に示すように、連結部材２０は、例えば直方体形状の本体部２１を有し、この本体部２１の１つの面には、一対の連結凹部２２が当該１つの面の一端から他端まで形成されている。
【００２７】
これら連結凹部２２の内空断面は、例えば、半円筒状であり、これら連結凹部２２は互いに平行に延在している。これら連結凹部２２の内径は、第１及び第２枠材１１、１２を構成する中空管又は線状材の直径と等しく設定されている。このため、これら連結凹部２２には、第１及び第２枠材１１、１２の一部分（具体的には、第１枠材１１の直線部１１ｂの一部分と、第２枠材１２の直線部１２ｂの一部分）を嵌め込むことができる。
【００２８】
連結部材２０は、横方向に隣り合う２つのセル１の骨組枠材の一部分ずつ（上述のように、具体的には、第１枠材１１の直線部１１ｂの一部分と、第２枠材１２の直線部１２ｂの一部分）を一対の連結凹部２２によりそれぞれ保持することによって、すなわち、これら２つのセル１の骨組枠材の一部分ずつが一対の連結凹部２２にそれぞれ嵌め込まれることによって、これら２つのセル１を連結する。このように、連結部材２０は、第１連結部材として用いられる。
【００２９】
連結部材２０は、セル１を連結した状態において、商品陳列棚１００の台座を兼ねるものである。すなわち、連結部材２０は、連結凹部２２を上向きにした状態で、商品陳列棚１００の下端部を構成するセル１の下に配置されて、上述のようにセルを連結し、且つ、商品陳列棚１００を支持する。
【００３０】
図４に示すように、連結部材３０は、例えば直方体形状の本体部３１を有している。この本体部３１の１つの面には、一対の連結凹部３２が、互いに平行に延在するように当該１つの面の一端から他端まで形成され、その反対側の面にも、一対の連結凹部３２が互いに平行に延在するように当該反対側の面の一端から他端まで形成されている。これら連結凹部３２の形状及び寸法は、連結凹部２２と同様である。
【００３１】
連結部材３０は、横方向に隣り合う２つのセル１と、これら２つのセル１と上下方向に隣り合う２つのセル１と、の合計４つのセル１の骨組枠材の一部分ずつを４つの連結凹部３２によりそれぞれ保持することによって、すなわち、これら４つのセルの１の骨組枠材の一部分ずつを４つの連結凹部３２にそれぞれ嵌め込むことによって、これら４つのセル１を連結する。このように、連結部材３０は、第３連結部材として用いられる。
【００３２】
具体的には、連結部材３０は、例えば、本体部３１の１つの面に形成された一対の連結凹部３２を上向きにし、その反対側の面に形成された一対の連結凹部３２を下向きにした状態で、上記４つのセル１の境界に配置される。そして、これら連結凹部３２により４つのセル１の直線部１２ｂ、１１ｂ、１２ａ、１１ａの一部分ずつを保持することによって、４つのセル１を連結する。
【００３３】
図５に示すように、連結部材４０は、連結部材２０と同様の形状に形成されている。すなわち、連結部材４０は、例えば直方体形状の本体部４１を有し、この本体部４１の１つの面には、連結凹部２２と同様の形状及び寸法の一対の連結凹部４２が互いに平行に延在するように当該面の一端から他端まで形成されている。
【００３４】
連結部材４０は、横方向又は上下方向に隣り合う２つのセル１の骨組枠材の一部分ずつを一対の連結凹部４２によりそれぞれ保持することによって、すなわち、これら２つのセル１の骨組枠材の一部分ずつを一対の連結凹部４２にそれぞれ嵌め込むことによって、これら２つのセル１を連結する。このように、連結部材４０は、第１連結部材、又は、第２連結部材として用いられる。
【００３５】
具体的には、連結部材４０は、商品陳列棚１００の上端部を構成するセル１のうち、横方向に隣り合うセル１の上端部どうしの連結に用いられる。この場合、連結部材４０の連結凹部４２を下向きにした状態で、連結凹部４２内に隣り合うセル１の直線部１２ａと直線部１１ａとが嵌め込まれることによって、これらセル１を連結部材４０が連結する。
【００３６】
また、連結部材４０は、商品陳列棚１００の左端部を構成するセル１のうち、上下方向に隣り合うセル１の左端部どうしの連結に用いられる。この場合、連結部材４０は、例えば、その連結凹部４２を左向きにした状態で、これらセル１の左端部どうしの境界に配置されて、連結凹部４２内に直線部１２ｂと直線部１２ａとを保持することによって、これらセル１を連結する。
【００３７】
また、連結部材４０は、商品陳列棚１００の右端部を構成するセル１のうち、上下方向に隣り合うセル１の右端部どうしの連結に用いられる。この場合、連結部材４０は、その連結凹部４２を右向きにした状態で、これらセル１の右端部どうしの境界に配置されて、連結凹部４２内に直線部１１ｂと直線部１１ａとを保持することによって、これらセル１を連結する。
【００３８】
なお、連結部材２０は商品陳列棚１００の台座を兼ねるのに対し、連結部材４０は台座としては機能しない。このため、例えば、連結部材２０の本体部２１の厚みは、連結部材４０の本体部４１の厚みよりも大きく設定されている。
【００３９】
図６に示すように、台座６０は、例えば直方体形状の本体部６１を有し、この本体部６１の１つの面には、連結凹部２２と同様の形状及び寸法の１つの凹部６２が当該面の一端から他端まで形成されている。
【００４０】
台座６０は、商品陳列棚１００の下端部の左右両端部の各々に、凹部６２を上向きにして配置され、凹部６２内に骨組枠材の一部分（例えば、第１枠材１１の直線部１１ｂの一部分、又は、第２枠材１２の直線部１２ｂの一部分）が嵌め込まれた状態で、商品陳列棚１００を支持する。
【００４１】
なお、連結部材２０、３０、４０及び台座６０は、例えば、樹脂により構成することができる。
【００４２】
図７及び図８に示すように、任意数の複数のセル１を連結部材２０、３０、４０を用いて横方向及び上下方向に連結することにより、商品陳列棚１００を組み立てることができる。なお、図８においては、連結部材２０、３０、４０の配置を分かりやすくするために、連結部材２０、３０、４０の全体形状を透視させて見せている。
【００４３】
図８に示すように、連結部材２０、３０、４０は、それぞれ、商品陳列棚１００の奥行き方向に複数（例えば、商品陳列棚１００の前部と後部にそれぞれ１つずつ）配置することが好ましい。
また、図８には示していないが、台座６０についても、商品陳列棚１００の奥行き方向に複数（例えば、商品陳列棚１００の前部と後部にそれぞれ１つずつ）配置することが好ましい。
【００４４】
商品陳列棚１００は、他に、図９に示すような側面化粧パネル７０を有している。この側面化粧パネル７０は、板状の本体部７１を有している。
【００４５】
この本体部７１の一方の面には、例えば、商品のブランドイメージなどを表す装飾表示（例えば、図９に示すような「ＸＹＺタバコ」といった表示など）が印字された装飾表示部６が形成されている。
【００４６】
本体部７１の他方の面には、側面化粧パネル７０をセル１の第１枠材１１又は第２枠材１２に取り付けるための取付部７２が形成されている。この取付部７２は、例えば、図７に示すように側方に向けて開口した凹部を有している。
そして、この凹部内に第１枠材１１又は第２枠材１２の一部分（例えば、直線部１２ａ、１２ｂ、１１ａ、１１ｂの一部分）を保持することにより、側面化粧パネル７０をセル１に取り付けることができるようになっている。なお、取付部７２は、例えば、本体部７１の上部、下部にそれぞれ２つずつ設けられている。そして、これら４つの取付部７２により、側面化粧パネル７０がセルの側部に取り付けられる。
【００４７】
側面化粧パネル７０は、例えば、商品陳列棚１００の各段毎に、左右両側部にそれぞれ設けられる。また、例えば、側面化粧パネル７０は、セル１の側面の寸法よりも若干大きい寸法に形成され、側面視においてセル１が側面化粧パネル７０により覆い隠されるようになっている。
【００４８】
ここで、上述のように、第１及び第２枠材１１、１２は、例えば、側面視において平行四辺形に近い形状に形成されている。そして、例えば、図１０に示すように、複数のセル１を上下方向に積み重ねたときに、上側のセル１ほど後に位置するようになる（つまり商品陳列棚１００が後傾する）ことが挙げられる。
【００４９】
この場合、商品陳列棚１００の安定性を高め、商品陳列棚１００が後側へ転倒してしまうことを抑制するために、商品陳列棚１００は、スタンド部材７と、このスタンド部材７をセル１の第１及び第２枠材１１、１２の後部に固定するための左右一対の固定部材８（図１０には手前側の固定部材８のみが示される）と、を有していることが好ましい。
【００５０】
このスタンド部材７は、例えば、金属からなる１本の線状材を屈曲形成したものである。すなわち、スタンド部材７は、例えば、固定部材８にそれぞれ差し込まれて固定部材８に固定される一対の差込部７ｂ（図１０には手前側の差込部７ｂのみが示される）と、これら一対の差込部７ｂの間において、これら一対の差込部７ｂと連続的に形成されたスタンド部７ａと、を有している。
【００５１】
スタンド部７ａは、平面形状がＵ字型をなし、その両端部がそれぞれ差込部７ｂに接続されている。
一対の固定部材８は、例えば、第１及び第２枠材１１、１２の後側連結部１１ｄ、１２ｄにそれぞれ外嵌されることにより、後側連結部１１ｄ、１２ｄにそれぞれ固定されている。
また、差込部７ｂは、例えば、第１及び第２枠材１１、１２の後側連結部１１ｄ、１２ｄに対してそれぞれ平行となる姿勢で、固定部材８に対して差し込み固定される。
スタンド部材７は、スタンド部７ａと差込部７ｂとが側面視において所定の角度をなすように屈曲し、スタンド部７ａの後端部が載置面Ｇに接するようになっている。
【００５２】
このようなスタンド部材７によって、商品陳列棚１００が後側へ転倒してしまうことが抑制されている。
【００５３】
商品陳列棚１００は、他に、図１に示されるような前面化粧パネル５０を有している。
この前面化粧パネル５０は、セル１に対して着脱自在となっている。また、商品陳列棚１００の横幅の変更に合わせて、前面化粧パネル５０の横幅も変更できるようになっている。
【００５４】
前面化粧パネル５０の前面には、例えば、商品のブランドイメージなどを表す装飾表示（例えば、図１に示すような「ＸＹＺタバコ」といった表示など）が印字された装飾表示部５が形成されている。
【００５５】
具体的には、前面化粧パネル５０は、例えば、第１部分５１と、１つ以上の第２部分５２と、により構成されている。第１部分５１の横幅は、例えば、セル１の横幅の３倍に設定されている。また、第２部分５２の横幅は、セル１の横幅と同じ幅に設定されている。
【００５６】
例えば、図１に示すように、６つのセル１を横方向に連結して商品陳列棚１００を組み立てたときには、第１部分５１と３つの第２部分５２とを横一列に並べて、商品陳列棚１００の前面に取り付ける。
また、３つのセル１を横方向に連結して商品陳列棚１００を組み立てたときには、例えば第１部分５１のみを商品陳列棚１００の前面に取り付ける。
また、４つのセル１を横方向に連結して商品陳列棚１００を組み立てたときには、例えば第１部分５１と１つの第２部分５２とを横に並べて商品陳列棚１００の前面に取り付ける。
また、５つのセル１を横方向に連結して商品陳列棚１００を組み立てたときには、例えば第１部分５１と２つの第２部分５２とを横一列に並べて商品陳列棚１００の前面に取り付ける。
【００５７】
図１１（ａ）に示すように、第１部分５１は、板状の本体部５３と、この本体部５３の下部の裏面に設けられた左右一対の係止フック５４（図１１（ａ）には一方の係止フック５４のみを示している）と、を有している。
同様に、図１１（ｂ）に示すように、第２部分５２も、板状の本体部５３と、この本体部５３の下部の裏面に設けられた左右一対の係止フック５４（図１１（ｂ）には一方の係止フック５４のみを示している）と、を有している。
商品陳列棚１００のセル１の前側の第３枠材１３（例えば、前側の下側の第３枠材１３）に対し、これら係止フック５４を係止するとともに、本体部５３の裏面をセル１の第１及び第２枠材１１、１２の前側連結部１１ｃ、１２ｃに立て掛けることにより、第１部分５１を商品陳列棚１００の前面に設けることができる。
第２部分５２についても、同様に、商品陳列棚１００の前面に設けることができる。
【００５８】
なお、例えば、前面化粧パネル５０が取り付けられる段のセル１には、マガジン８０を搭載しないことが挙げられる。
【００５９】
図２４は、セル１に搭載されるマガジン８０の一例を示す側面図である。
マガジン８０は、上方に向けて開口する半筐体状に形成され、その内部に商品としてのたばこ商品９０を縦置きで前後に列をなすように複数個搭載可能となっている。マガジン８０は、図示しない押し板を備えている。この押し板は、最後列のたばこ商品９０の背面を手前側に付勢しており、最前列のたばこ商品９０がマガジン８０から取り出されると、残りのたばこ商品９０が押し板によって手前側に移動（前送り）されるようになっている。
マガジン８０の底部の左右両端部には、下方に向けて突出し、前後方向に延在するブレード８１がそれぞれ形成されている。
なお、セル１の内部空間の高さ（下側の第３枠材１３と上側の第３枠材１３との上下間隔）は、マガジン８０にたばこ商品９０を搭載したときのマガジン８０の本体（ブレード８１を除く部分）の底面からたばこ商品９０の上面までの高さよりも十分に大きく設定されている。これにより、たばこ商品９０を搭載したマガジン８０をセル１から容易に引き出すことができる。
【００６０】
また、マガジン８０のブレード８１は、例えば、セル１の下部に設けられている４本の第３枠材１３のうち、中央の２本の第３枠材１３の間に入り込み、これら２本の第３枠材１３によって前後方向に位置決めされるようになっている。これにより、マガジン８０をセル１内において安定的に位置決めすることができる。なお、マガジン８０をセル１から引き出す場合には、マガジン８０の前部を持ち上げながらマガジン８０を前側に引き出すことにより、ブレード８１と第３枠材１３との干渉を避けることができる。
【００６１】
以上のような第１の実施形態によれば、任意数の複数のセル１を横方向に連結できるので、商品陳列棚１００の横幅を変更でき、且つ、各セル１内の領域をそれぞれ独立的に利用できる。
【００６２】
＜第１の実施形態の変形例＞
図１２は連結部材４０の変形例を示す断面図である。
【００６３】
図１２に示すように、連結部材４０は、連結凹部４２が形成された本体部４１と、連結凹部４２からの骨組枠材の一部分の脱落を規制する脱落規制部４４と、を有する。
【００６４】
脱落規制部４４は、例えば、ヒンジ部４０ａを介して本体部４１と連結され、本体部４１に対して回動可能となっている。ヒンジ部４０ａは、連結部材４０を構成する樹脂材料が他部に比べて薄くなっている部分である。
【００６５】
脱落規制部４４は、２つの連結凹部４２をまとめて覆って連結凹部４２からの骨組枠材の一部分ずつ（例えば、直線部１１ａ、１２ａ）の脱落を規制する状態（図１２（ａ））と、２つの連結凹部４２を開放して連結凹部４２内に骨組枠材の一部分ずつを嵌め込んだり連結凹部４２から骨組枠材の一部分ずつを外したりできる状態（図１２（ｂ））と、の２つの状態をとる。
【００６６】
更に、連結部材４０は、脱落規制部４４と一体的に形成された係合片４５と、本体部４１と一体的に形成され係合片４５と係合する係合爪４８と、を有する。係合片４５には、係合爪４８と係合可能な係合孔４６が形成されている。係合片４５は、脱落規制部４４と一体的に、本体部４１に対して回動可能である。
【００６７】
図１２（ａ）に示すように、脱落規制部４４により連結凹部４２を覆った状態で、係合孔４６と係合爪４８とが係合し、脱落規制部４４が本体部４１に対してロックされるようになっている。
このように、連結部材４０は、連結凹部４２内に骨組枠材の一部分が嵌め込まれた状態で脱落規制部４４を本体部４１に対してロックするロック部（例えば、係合片４５及び係合爪４８）を有する。
なお、このロック状態は、係合片４５の先端部を構成する操作片４７を、係合爪４８から係合孔４６が外れる方向に操作することによって、容易に解除することができる。
係合孔４６と係合爪４８とが係合する際、並びに、係合孔４６と係合爪４８との係合の解除の際には、係合片４５が弾性変形する。
【００６８】
図１３は連結部材３０の変形例を示す断面図である。
【００６９】
図１３に示すように、連結部材３０は、連結凹部３２が形成された本体部３１と、連結凹部３２からの骨組枠材の一部分の脱落を規制する表裏一対の脱落規制部３４と、を有する。一対の脱落規制部３４は点対称に配置されている。
【００７０】
各脱落規制部３４は、例えば、それぞれヒンジ部３０ａを介して本体部３１と連結され、本体部３１に対して回動可能となっている。ヒンジ部３０ａは、連結部材３０を構成する樹脂材料が他部に比べて薄くなっている部分である。
【００７１】
表側の脱落規制部３４は、表側の２つの連結凹部３２をまとめて覆って連結凹部３２からの骨組枠材の一部分ずつ（例えば、直線部１２ｂ、１１ｂ）の脱落を規制する状態（図１３）と、連結凹部３２を開放して連結凹部３２内に骨組枠材の一部分ずつを嵌め込んだり連結凹部３２から骨組枠材の一部分ずつを外したりできる状態（図示略）と、の２つの状態をとる。
【００７２】
同様に、裏側の脱落規制部３４は、裏側の２つの連結凹部３２をまとめて覆って連結凹部３２からの骨組枠材の一部分ずつ（例えば、直線部１２ａ、１１ａ）の脱落を規制する状態（図１３）と、連結凹部３２を開放して連結凹部３２内に骨組枠材の一部分ずつを嵌め込んだり連結凹部３２から骨組枠材の一部分ずつを外したりできる状態（図示略）と、の２つの状態をとる。
【００７３】
更に、連結部材３０は、各脱落規制部３４とそれぞれ一体的に形成された係合片３５と、本体部３１とそれぞれ一体的に形成され係合片３５と係合する係合爪３８と、を有する。係合片３５には、係合爪３８と係合可能な係合孔３６が形成されている。係合片３５は、脱落規制部３４と一体的に、本体部３１に対して回動可能である。
【００７４】
図１３に示すように、脱落規制部３４により連結凹部３２を覆った状態で、係合孔３６と係合爪３８とが係合し、脱落規制部３４が本体部３１に対してロックされるようになっている。このように、連結部材３０は、連結凹部３２内に骨組枠材の一部分が嵌め込まれた状態で脱落規制部３４を本体部３１に対してロックするロック部（例えば、係合片３５及び係合爪３８）を有する。
このロック状態は、係合片３５の先端部を構成する操作片３７を、係合爪３８から係合孔３６が外れる方向に操作することによって、容易に解除することができる。
係合孔３６と係合爪３８とが係合する際、並びに、係合孔３６と係合爪３８との係合の解除の際には、係合片３５が弾性変形する。
【００７５】
このような変形例によれば、連結部材３０、４０は、連結凹部３２、４２からの骨組枠材の一部分の脱落を規制する脱落規制部３４、４４を有するので、連結部材３０、４０によって隣り合うセル１どうしを結合する結合力を向上させることができる。よって、商品陳列棚１００の一体性が高まるので、商品陳列棚１００を移動させるときに隣り合うセル１どうしが分離してしまう可能性を低減することができる。
また、連結部材３０、４０は、ロック部を有するので、連結部材３０、４０によって隣り合うセル１どうしを結合する結合力を一層向上させることができる。
【００７６】
〔第２の実施形態〕
図１４は第２の実施形態に係る商品陳列棚２００の斜視図、図１５は商品陳列棚２００の正面図、図１６は商品陳列棚２００のセル２１０及び側面化粧パネル２２０を示す分解斜視図、図１７は商品陳列棚２００の中間棚部２１５を示す斜視図、図１８は商品陳列棚２００の中間棚部２１５とセル２１０の側枠部２１１との連結構造を示す正面図、図１９は商品陳列棚２００のセル２１０及び側面化粧パネル２３０の組み立て方を説明するための分解正面図、図２０は隣り合うセル２１０どうしの連結構造を示す正面図、図２１は商品陳列棚２００の前面化粧パネル５０（図１４）の第１部分５１、第２部分５２を示す側面図及び裏面図、図２２は前面化粧パネル５０の取り付け構造を示す正面図、図２３は商品陳列棚２００の側面図である。
【００７７】
本実施形態に係る商品陳列棚２００は、互いに対向する一対の側枠部と、一対の側枠部を連結する連結部と、を有し、一対の側枠部の対向間隔がマガジン８０の一個分と対応し、マガジン８０を収容可能なセル２１０を、横方向に任意数連結可能に構成されている。なお、セル２１０とは、マガジン８０の配置領域を横方向に区画する構造体を意味する。以下、詳細に説明する。
【００７８】
図１４及び図１５に示すように、商品陳列棚２００は、横方向に連結される複数のセル２１０と、商品陳列棚２００の両側部に設けられる側面化粧パネル２２０、２３０と、商品陳列棚２００の前面に設けられる前面化粧パネル５０と、を有している。なお、図１４においては、側面化粧パネル２２０の図示を省略している。
【００７９】
図１６に示すように、セル２１０は、左右一対の側枠部２１１、２１２と、一対の側枠部２１１、２１２の上端部を相互に連結する天枠部２１４と、天枠部２１４の下方に天枠部２１４と対向して配置され、一対の側枠部２１１、２１２の下端部を相互に連結し、マガジン８０を支持可能な底枠部２１３と、を有している。
【００８０】
側枠部２１１、２１２は、それぞれ平板状に形成されている。側枠部２１１、２１２は、それぞれ水平面に対して直交するように立設され、互いに平行となるように配置されている。
天枠部２１４及び底枠部２１３も平板状に形成され、それぞれ水平に配置されている。
例えば、天枠部２１４及び底枠部２１３は、それぞれ、平面視において前後方向に長尺な矩形状に形成されている。
側枠部２１１、２１２は、側面視において四角形状（例えば、平行四辺形）に形成されている。なお側枠部２１１、２１２の後部には、図１６に示すようにＵ字状のなどの切欠形状部を設けても良く、このような切欠形状部を設けることにより、側枠部２１１、２１２の軽量化が可能となる。
側枠部２１１、２１２、天枠部２１４及び底枠部２１３は、例えば、それぞれ金属板により構成することができ、その場合、それぞれの縁の部分を折り曲げ加工（縁巻き）しておくことが強度面などにおいて好ましい。例えば、底枠部２１３及び天枠部２１４は、それぞれの４辺が下方に縁巻き加工され、側枠部２１１、２１２は、各々の外周部が互いの方に向けて縁巻き加工されている。
【００８１】
図１６に示すように、セル２１０は、中間棚部２１５により相互に上下方向に区画された複数のサブセル２０１を有している。各サブセル２０１内においては、中間棚部２１５上又は底枠部２１３上にそれぞれ１個ずつのマガジン８０を搭載可能となっている。
すなわち、セル２１０は、天枠部２１４と底枠部２１３との間に、一対の側枠部２１１、２１２間に架設され、マガジン８０を支持可能な中間棚部２１５を有している。図１６の例では、セル２１０は、５段の中間棚部２１５を有している。
例えば、上下方向に隣り合う中間棚部２１５どうしの上下間隔、最下段の中間棚部２１５と底枠部２１３との上下間隔、並びに、最上段の中間棚部２１５と天枠部２１４との上下間隔は、互いに等しく設定されている。つまり、各サブセル２０１の上下寸法は互いに等しい。
【００８２】
図１７に示すように、中間棚部２１５は、板状に形成されている。中間棚部２１５は、例えば、金属板により構成することができる。中間棚部２１５は、例えば、平面視において前後方向に長尺な矩形状に形成されている。そして、中間棚部２１５の四辺は、それぞれ、下方に向けて折り曲げ加工されている。すなわち、中間棚部２１５は、平板状の本体部２１５ａと、この本体部２１５ａの周囲に設けられた折曲片２１５ｂ、２１５ｃ、２１５ｄを有している。
左右一対の折曲片２１５ｂのうち、一方の折曲片２１５ｂは、図１８に示すように、セル２１０の側枠部２１１に形成された受けフック２１１ａと係合し、該受けフック２１１ａにより保持されている。同様に、図示は省略するが、他方の折曲片２１５ｂも、セル２１０の側枠部２１２に形成された受けフックと係合し、該受けフックにより保持される。ここで、各折曲片２１５ｂは、それぞれ下向きの係止爪として機能する。こうして、中間棚部２１５は、一対の側枠部２１１、２１２間に架設されている。
【００８３】
中間棚部２１５の本体部２１５ａの上面には、マガジン８０のブレード８１が入り込む左右一対のブレード溝２１５ｅが形成されている。このため、中間棚部２１５上にマガジン８０を安定的に位置決めでき、且つ、このブレード溝２１５ｅに沿ってブレード８１、ひいてはマガジン８０全体を前後に摺動させることができるようになっている。
なお、底枠部２１３の上面にも、同様に、マガジン８０のブレード８１が入り込む左右一対のブレード溝２１３ａ（図１６）が形成され、底枠部２１３上にマガジン８０を安定的に位置決めでき、且つ、ブレード溝２１３ａに沿ってブレード８１、ひいてはマガジン８０全体を前後に摺動させることができるようになっている。
なお、サブセル２０１の内部空間の高さ（隣り合う中間棚部２１５どうしの上下間隔、又は、底枠部２１３と最下段の中間棚部２１５との上下間隔、又は、最上段の中間棚部２１５と天枠部２１４との上下間隔）は、マガジン８０にたばこ商品９０を搭載したときのマガジン８０の本体（ブレード８１を除く部分）の底面からたばこ商品９０の上面までの高さよりも十分に大きく設定されている。これにより、たばこ商品９０を搭載したマガジン８０をサブセル２０１から容易に引き出すことができる。
【００８４】
図１９に示すように、横並びに相互に連結される複数のセル２１０には、両端部にそれぞれ配置されるセル２１０ａ、２１０ｂと、これらセル２１０ａ、２１０ｂの間に配置されるセル２１０ｃと、が含まれる。
【００８５】
このうちセル２１０ｂの側枠部２１２には、側面化粧パネル２３０に連結される横連結部として、係止孔２１９が複数箇所（例えば、側枠部２１２の４隅のそれぞれ）に形成されている。側面化粧パネル２３０は、平板状の本体部２３１を有し、この本体部２３１の一方の面には、下向きの係止爪２３２が複数箇所に形成されている。各係止孔２１９と各係止爪２３２とは対応する位置に配置され、各係止爪２３２を対応する係止孔２１９に係止することによって、側面化粧パネル２３０がセル２１０ｂの側枠部２１２に固定されるようになっている。
セル２１０ｂの側枠部２１１には、横隣のセル２１０（セル２１０ｃ又はセル２１０ａ）に連結される横連結部として、係止孔２１７が複数箇所（例えば、側枠部２１１の４隅のそれぞれ）に形成されている。
【００８６】
セル２１０ｃの側枠部２１２には、横隣のセル２１０（図１９の例ではセル２１０ｂ）に連結される横連結部として、係止孔２１７と係合する下向きの係止爪２１６が、各係止孔２１７と対応する位置（例えば、側枠部２１２の４隅のそれぞれ）に形成されている。
セル２１０ｃの側枠部２１１には、横隣のセル２１０（図１９の例ではセル２１０ａ）に連結される横連結部として、係止爪２１６と係合する係止孔２１７が、複数箇所（例えば、側枠部２１１の４隅のそれぞれ）に形成されている。
セル２１０ｃは、その係止爪２１６の各々を、横隣のセル２１０（セル２１０ｂ又はセル２１０ｃ）の対応する係止孔２１７に係止することによって（図２０）、横隣のセル２１０と連結できるようになっている。
また、セル２１０ｃは、その係止孔２１７の各々を、横隣のセル２１０（セル２１０ａ又はセル２１０ｃ）の対応する係止爪２１６と係合させることによって、横隣のセル２１０と連結できるようになっている。
【００８７】
セル２１０ａの側枠部２１２には、横隣のセル２１０（図１９の例ではセル２１０ｃ）に連結される横連結部として、係止孔２１７と係合する下向きの係止爪２１６が、各係止孔２１７と対応する位置（例えば、側枠部２１２の４隅のそれぞれ）に形成されている。これら係止爪２１６を、横隣のセル２１０の対応する係止孔２１７に係止することによって、セル２１０ａを横隣のセル２１０と連結できるようになっている。
セル２１０ａの側枠部２１１には、側面化粧パネル２２０（図１６）に連結される横連結部として、係止孔２１８が複数箇所（例えば、側枠部２１１の４隅のそれぞれ）に形成されている。側面化粧パネル２２０は、側面化粧パネル２３０と同様に構成されている。すなわち、図１６に示すように、側面化粧パネル２２０は、平板状の本体部２２１を有し、この本体部２２１の一方の面には、複数の下向きの係止爪２２２がそれぞれ係止孔２１８と対応する位置に形成されている。各係止爪２２２を対応する係止孔２１８に係止することによって、側面化粧パネル２２０がセル２１０ａの側枠部２１１に固定されるようになっている。
【００８８】
このような横連結部を用いて任意数のセル２１０を横方向に連結することにより、商品陳列棚２００の横幅を所望の横幅に調節することができる。
【００８９】
なお、図１４に示すように、側面化粧パネル２３０の側面形状は、例えば、平行四辺形となっていることが挙げられ、同様に、側面化粧パネル２２０も、平行四辺形となっていることが挙げられる。そして、側面化粧パネル２２０は、商品陳列棚２００の一方の側部を覆い、側面化粧パネル２３０は、商品陳列棚２００の他方の側部を覆っている。
本実施形態の場合も、側面化粧パネル２２０、２３０には、上記の第１の実施形態と同様の装飾表示部６を形成しても良い（図１４には、側面化粧パネル２３０についてのみ装飾表示部６を示している）。
【００９０】
図１４及び図１５に示されるように、前面化粧パネル５０は、例えば、第１部分５１と、１つ以上の（図１４及び図１５の例では３つの）第２部分５２と、からなる。なお、図１４においては、前面化粧パネル５０をセル２１０の前方に離間させた状態を示しているが、前面化粧パネル５０は、図１５に示されるようにセル２１０の前面に取り付けられるものである。
【００９１】
前面化粧パネル５０は、セル２１０に対して着脱自在であり、また、商品陳列棚２００の横幅の変更に合わせて、前面化粧パネル５０の横幅も変更できるようになっている。
前面化粧パネル５０の前面には、例えば、商品のブランドイメージなどを表す装飾表示（例えば、図１４に示すような「ＸＹＺタバコ」といった表示など）が印字された装飾表示部５が形成されている。
【００９２】
前面化粧パネル５０の第１部分５１の横幅は、例えば、セル２１０の横幅の３倍に設定されている。また、第２部分５２の横幅は、セル２１０の横幅と同じ幅に設定されている。
例えば、図１４及び図１５に示すように、６つのセル２１０を横方向に連結して商品陳列棚２００を組み立てたときには、第１部分５１と３つの第２部分５２とを横一列に並べて、商品陳列棚２００の前面に取り付ける。
また、３つのセル２１０を横方向に連結して商品陳列棚２００を組み立てたときには、例えば第１部分５１のみを商品陳列棚２００の前面に取り付ける。
また、４つのセル２１０を横方向に連結して商品陳列棚２００を組み立てたときには、例えば第１部分５１と１つの第２部分５２とを横に並べて商品陳列棚２００の前面に取り付ける。
また、５つのセル２１０を横方向に連結して商品陳列棚２００を組み立てたときには、例えば第１部分５１と２つの第２部分５２とを横一列に並べて商品陳列棚２００の前面に取り付ける。
【００９３】
図２１（ａ）及び（ｂ）に示すように、第１部分５１は、板状の本体部５３と、この本体部５３の裏面の４隅にそれぞれ設けられた係止フック５６と、を有している。
同様に、図２１（ａ）及び（ｃ）に示すように、第２部分５２も、板状の本体部５３と、この本体部５３の裏面の４隅にそれぞれ設けられた係止フック５６と、を有している。
【００９４】
一方、図２２に示されるように、セル２１０の前面（例えば、側枠部２１１、２１２の前面）には、係止フック５６が係止される係止孔２５１が形成されている。
第１部分５１の各係止フック５６をそれぞれ対応する位置の係止孔２５１に係止することによって、第１部分５１をセル２１０（例えば、３つのセル２１０）の前面に設けることができる。
同様に、第２部分５２の各係止フック５６をそれぞれ対応する位置の係止孔２５１に係止することによって、第２部分５２をセル２１０の前面に設けることができる。
【００９５】
なお、例えば、前面化粧パネル５０が取り付けられる段のサブセル２０１には、マガジン８０を搭載しないことが挙げられる。
【００９６】
上述のように、側面化粧パネル２２０、２３０、側枠部２１１、２１２は、平行四辺形（あるいはそれに近い形状）に形成されている。そして、図１４に示すように、各セル２１０、ひいては商品陳列棚２００は、後傾していることが挙げられる。
この場合、商品陳列棚２００の安定性を高め、商品陳列棚２００が後側へ転倒してしまうことを抑制するために、図２３に示すように、各セル２１０の底枠部２１３は、側面化粧パネル２２０、２３０の下端の後端よりも後方に延出していることが好ましい。具体的には、底枠部２１３の後端は、側面化粧パネル２２０、２３０の上端の後端の直下の位置付近まで延在していることが好ましい。
【００９７】
以上のような第２の実施形態によれば、任意数の複数のセル２１０を横方向に連結できるので、商品陳列棚２００の横幅を変更でき、且つ、各セル２１０内の領域をそれぞれ独立的に利用できる。
以下、参考形態の例を付記する。
１．互いに対向する一対の側枠部と、前記一対の側枠部を連結する連結部と、を有し、前記一対の側枠部の対向間隔がマガジン一個分と対応し、前記マガジンを収容可能なセルを、少なくとも横方向に任意数連結可能に構成されていることを特徴とする商品陳列棚。
２．隣り合う前記セルを連結する連結部材を有することを特徴とする１．に記載の商品陳列棚。
３．前記セルは、当該セルの外形形状を画定する複数の骨組枠材を組み合わせることにより構成され、
前記連結部材は、隣り合う前記セルの前記骨組枠材の一部分ずつを保持する複数の保持部を有し、前記複数の保持部によりこれらセルの前記骨組枠材の一部分ずつを保持することによって、これらセルを連結することを特徴とする２．に記載の商品陳列棚。
４．前記連結部材には、横方向に隣り合う前記セルの前記骨組枠材の一部分ずつを前記複数の保持部により保持し、これらセルを連結する第１連結部材が含まれることを特徴とする３．に記載の商品陳列棚。
５．前記連結部材には、上下方向に隣り合う前記セルの前記骨組枠材の一部分ずつを前記複数の保持部により保持し、これらセルを連結する第２連結部材が含まれることを特徴とする３．又は４．に記載の商品陳列棚。
６．前記連結部材には、横方向に隣り合う２つの前記セルと、これら２つの前記セルと上下方向に隣り合う２つの前記セルと、の合計４つの前記セルの前記骨組枠材の一部分ずつを前記複数の保持部により保持し、これら４つのセルを連結する第３連結部材が含まれることを特徴とする３．乃至５．の何れか一項に記載の商品陳列棚。
７．前記保持部は、前記骨組枠材の一部分が嵌め込まれる連結凹部であることを特徴とする３．乃至６．の何れか一項に記載の商品陳列棚。
８．前記連結部材は、
前記連結凹部が形成された本体部と、
前記連結凹部からの前記骨組枠材の一部分の脱落を規制する脱落規制部と、
を有することを特徴とする７．に記載の商品陳列棚。
９．前記連結部材は、前記連結凹部内に前記骨組枠材の一部分が嵌め込まれた状態で前記脱落規制部を前記本体部に対してロックするロック部を有することを特徴とする８．に記載の商品陳列棚。
１０．前記骨組枠材には、
前記セルの一方の前記側枠部の最外周枠を構成する第１枠材と、
前記セルの他方の前記側枠部の最外周枠を構成する第２枠材と、
横方向に延在して前記第１枠材と第２枠材とを連結し、前記連結部を構成する複数本の第３枠材と、
が含まれることを特徴とする３．乃至９．の何れか一項に記載の商品陳列棚。
１１．一部の前記第３枠材は前記セルの上端部において横方向に延在し、
他の一部の前記第３枠材は前記セルの下端部において横方向に延在していることを特徴とする１０．に記載の商品陳列棚。
１２．前記第１枠材又は前記第２枠材に取付可能な側板を更に有することを特徴とする１０．又は１１．に記載の商品陳列棚。
１３．前記連結部は、
前記一対の側枠部の上端部を連結する天枠部と、
前記天枠部の下方に前記天枠部と対向して配置され、前記一対の側枠部の下端部を連結し、前記マガジンを支持可能な底枠部と、
を含み、
前記側枠部は、横隣の前記セルの前記側枠部に連結される横連結部を有していることを特徴とする１．に記載の商品陳列棚。
１４．前記横連結部は、横隣の前記セルの前記側枠部に係止される係止部であることを特徴とする１３．に記載の商品陳列棚。
１５．前記係止部は、下向きの係止爪を有していることを特徴とする１４．に記載の商品陳列棚。
１６．前記側枠部、前記天枠部及び前記底枠部は、それぞれ板状であることを特徴とする１３．乃至１５．の何れか一項に記載の商品陳列棚。
１７．前記天枠部と前記底枠部との間には、前記一対の側枠部間に架設され、それぞれ前記マガジンを支持可能な中間棚部が設けられていることを特徴とする１３．乃至１６．の何れか一項に記載の商品陳列棚。
【符号の説明】
【００９８】
１ セル
５ 装飾表示部
６ 装飾表示部
７ スタンド部材
７ａ スタンド部
７ｂ 差込部
８ 固定部材
１１ 第１枠材
１１ａ 直線部
１１ｂ 直線部
１１ｃ 前側連結部
１１ｄ 後側連結部
１２ 第２枠材
１２ａ 直線部
１２ｂ 直線部
１２ｃ 前側連結部
１２ｄ 後側連結部
１３ 第３枠材
１４ 第４枠材
２０ 連結部材
２１ 本体部
２２ 連結凹部
３０ 連結部材
３０ａ ヒンジ部
３１ 本体部
３２ 連結凹部
３４ 脱落規制部
３５ 係合片
３６ 係合孔
３７ 操作片
３８ 係合爪
４０ 連結部材
４０ａ ヒンジ部
４１ 本体部
４２ 連結凹部
４４ 脱落規制部
４５ 係合片
４６ 係合孔
４７ 操作片
４８ 係合爪
５０ 前面化粧パネル
５１ 第１部分
５２ 第２部分
５３ 本体部
５４ 係止フック
５６ 係止フック
６０ 台座
６１ 本体部
６２ 凹部
７０ 側面化粧パネル
７１ 本体部
７２ 取付部
８０ マガジン
８１ ブレード
９０ たばこ商品（商品）
１００ 商品陳列棚
２００ 商品陳列棚
２０１ サブセル
２１０ セル
２１０ａ セル
２１０ｂ セル
２１０ｃ セル
２１１ 側枠部
２１１ａ 受けフック
２１２ 側枠部
２１３ 底枠部
２１３ａ ブレード溝
２１４ 天枠部
２１５ 中間棚部
２１５ａ 本体部
２１５ｂ 折曲片
２１５ｃ 折曲片
２１５ｄ 折曲片
２１５ｅ ブレード溝
２１６ 係止爪
２１７ 係止孔
２１８ 係止孔
２１９ 係止孔
２２０ 側面化粧パネル
２２１ 本体部
２２２ 係止爪
２３０ 側面化粧パネル
２３１ 本体部
２３２ 係止爪
２５１ 係止孔
【図１】
0005813363.tif 000002
【図２】
0005813363.tif 000003
【図３】
0005813363.tif 000004
【図４】
0005813363.tif 000005
【図５】
0005813363.tif 000006
【図６】
0005813363.tif 000007
【図７】
0005813363.tif 000008
【図８】
0005813363.tif 000009
【図９】
0005813363.tif 000010
【図１０】
0005813363.tif 000011
【図１１】
0005813363.tif 000012
【図１２】
0005813363.tif 000013
【図１３】
0005813363.tif 000014
【図１４】
0005813363.tif 000015
【図１５】
0005813363.tif 000016
【図１６】
0005813363.tif 000017
【図１７】
0005813363.tif 000018
【図１８】
0005813363.tif 000019
【図１９】
0005813363.tif 000020
【図２０】
0005813363.tif 000021
【図２１】
0005813363.tif 000022
【図２２】
0005813363.tif 000023
【図２３】
0005813363.tif 000024
【図２４】
0005813363.tif 000025